(57)【要約】【課題】夏の暑い日など、強い日差しを避けるために着用する帽子は、日光光線は遮断できても熱気や汗による湿気が帽子内に滞る不快感はどうすることもできない。この蒸れを解消する快適な帽子を提供することを、解決すべき優先課題として取り上げた。【解決手段】クラウンを中空の角柱体が横連接する板状体の集積により構成するとともに、すべりの部位に波状凹凸パターンが連続する帯状体を分断して点在装着して、帽子の外側と内側とで相互に空気の流通を積極的にはかり熱気や湿気の滞りを発生させないようにすることで、この課題解決をはかる。【選択図】図１
2015105457.tif 000002
【特許請求の範囲】
【請求項１】
中空の角柱体が連接して成る板状体の集積によりクラウンを形成し、波状凹凸パターンが連続して現われる帯状体を短く分断しクラウン内側すべりの部位に複数個点在装着したことを特徴とする蒸れない帽子。
【請求項２】
前記帯状体を連続した状態でクラウン内側すべりの部位に装着したことを特徴とする請求項１に記載の蒸れない帽子。
【請求項３】
つばを着脱交換することができる請求項１ならびに請求項２に記載の蒸れない帽子。
【発明の詳細な説明】
【技術分野】
【０００１】  本発明は、着用中に内部に熱や湿気がこもらない帽子に関するものである。
【背景技術】
【０００２】  戸外で農作業や園芸作業をする人々あるいはゴルフなどのスポーツを楽しむ人々は、強い日差しから頭部を保護するために麦わら帽子や前方につばの付いた帽子をかぶるのが一般的である。しかし、これらの帽子は日差しが強い夏季などでは直射日光をさえぎる日除けとしての役目は果たすものの、帽子内部にこもる熱気や汗による湿気に対しては対策が十分なされておらず、不快感を取り除くまでに至っていない。
【先行技術文献】
【特許文献】
【０００３】
【特許文献１】特開２００５−２９０５６６号公報
【発明の概要】
【発明が解決しようとする課題】
【０００４】  上述したように、現在使われている帽子は、改善されてきてはいるものの、強い日差しによる熱気や湿気で頭部が蒸れるという不快感の解消策に関しては不完全である。不快感の源となっている要素は、帽子内部の熱気の滞りとすべり部位における汗のじくじくした滞りであり、この２点の解消がない限り快適な帽子とはなりえない。
【課題を解決するための手段】
【０００５】  そこで本発明の帽子は、中空の角柱体が連接して成る板状体の集積によりクラウンを形成し、波状凹凸パターンが連続して現われる帯状体を短く分断しクラウン内側すべりの部位に複数個点在装着したことを特徴とする。【０００６】  また、本発明の帽子は、上記発明において、波状凹凸パターンが連続して現われる帯状体を、クラウン内側すべりの部位に連続した状態で装着したことを特徴とする。【０００７】  さらに、本発明の帽子においては、分断した帯状体を装着すると連続した帯状体を装着するとにかかわらず、つばを取り替えることができることを特徴とする。
【発明の効果】
【０００８】  本発明の帽子は、クラウン内側と外側間の空気の流通をよくして熱気や汗による湿気の滞りを防止することにより、着用時の不快感を解消して爽快感を得ることができる。
【図面の簡単な説明】
【０００９】
【図１】  本発明の帽子の外観斜視図である。
【図２】  クラウン部の組成を示す正面拡大図で、中空角柱体層の向きを交互に９０度変え積み上げた状態を示す。
【図３】  中空角柱体の連接から成るドーナツ型板状体を１層ずつ積み上げてクラウンを形作る方法を示す斜視説明図である。
【図４】  分断帯状体を点在装着した帽子の着用状態を示す平面説明図である。（図上部が鼻）
【図５】  図４のＡ−Ａ′点における断面図である。
【図６】  分断帯状体の外観斜視図である。
【図７】  帽子を下側から見た底面図である。（クラウン内側の作図は省略）
【図８】  帽子に前付つばを交換装着する様子を示す斜視説明図である。（クラウン内側の作図は省略）
【発明を実施するための形態】
【００１０】（実施の形態１）
図１は本発明の実施の形態１に係る帽子、この場合は麦わら帽子を示す外観斜視図である。クラウン１は、図３に示すように中空角柱体２が横方向に連接するドーナツ状層を何段も積み上げて形成される。図２に見るように、中空角柱体２は両端を除き周囲がシート状の仕切りで囲まれた四角柱（本図）や三角柱などで、その集積によりクラウン１が形成される。角柱体の両端に仕切りシートはなくオープンで、空気の出入りが自由にできる。
【００１１】  クラウン１は人の頭部を覆う器ともいうべきもので、軽量である程度の強度があり必要最小限の厚みが望まれる。どのくらいの厚みがよいかは、帽子着用時に直射日光が頭部表面まで達せず、かつ重量軽減のためできるだけ薄くという条件を満たせばよく、５〜１０ミリ程度の範囲で設定したい。なお、クラウンの平面形状は円形または楕円形とするが、ここでは便宜上円形として作図してある。
【００１２】  中空角柱体２の並ぶ向きであるが、クラウン１全体を通して同一方向でもよいし、図２のように１層ごとに９０度方向を変えるとか、または段数を積むに従って少しずつ方向を変えていくなどの選択肢がある。また、中空角柱体２の層数であるが、角柱１辺の長さを長くしすぎれば帽子の強度が落ち、太陽光線がクラウン内部へ到達しやすくなるなどの弊害が出るので、２０〜３０段程度の範囲が適当と思われる。
【００１３】  クラウン１の材質は、熱伝導率が低くて軽量かつ耐水性を有し、一定の強度がある合成樹脂がよい。ただし、これらの条件を満足たせば紙や金属その他の材質でも構わない。クラウン１を支えるつば３ａの材質は、農作業や園芸作業などで入り組んだ場所に入ってもつかえないように、軽量で柔軟性のある麦わら製や布製が向いている。
【００１４】  この帽子を着用するために手に取る際、クラウン１が硬くかつ大きくてつかみにくいため、図１のようにトップクラウン４に指が２〜３本入るだけの略楕円形の小さいつかみ穴５を設けておけば便利である。もう少し大きな穴をあけ中央を支点にして回転する板体をそこに設けても同様の効果が得られる（図示省略）。回転する板体は、帽子をつかむときには回転して縦の状態になるが、帽子着用時には頭頂部に当たって自然と水平の状態に戻り太陽光線の侵入を防ぐ。また、これらの穴は帽子の前後部を識別する役目も持つ。
【００１５】  クラウン１は軽量で硬くしっかりと略半球状を保つものであるが、中空角柱体２の両横の隔壁を柔軟性のある薄いシートとすることにより、帽子非着用時には上から軽く押さえて提灯のように平たくすることも可能である。
【００１６】  本発明ではさらに、図４・図５に示すように、クラウン１最下部のすべり７の部位に波状凹凸パターンが連続して現われる帯状体を分断して複数個装着する。こうすることで分断帯状体６ａの装着されていない部分ではすべりと頭表部１０との間に十分なスペースができ、空気を自由に流通させるのに役立つ。分断帯状体６ａ自体にも空気を通す機能はあるが、通す空気の量は少ない。従来の帽子にはこうしたスペースが全くなく、頭表部１０とすべり７はほぼ密着状態で熱気と汗で蒸れが発生しがちであった。なお、帯状体を装着する場合、すべり７はそのまま残しておいてもよいし、すべてあるいは部分的に取り除いても差し支えない。
【００１７】  分断帯状体６ａの装着位置と個数であるが、図４で示すように汗がよく出る額の部分を外して前頭部両側に１個ずつと、後頭部の両側に１個ずつ、長さ数センチのものを計４個装着するのが効果的と思われる。１〜２個の増減は構わない。
【００１８】  分断帯状体６ａの材質は、肌になじみ長時間の着用にもこすれや痛み等の不快感を覚えないものであるとともに、耐水性や弾力性があり多少の頭周りの大小にも対応できる材質と形状であることが望まれる。軟質系合成樹脂やゴムはその条件を満たすが、植物や金属であっても条件を満たす性質が備わっていれば使用可能である。
【００１９】  分断帯状体６ａのサイズは、帽子の着用保持と空気流通との兼ね合いからみて縦３〜４センチ、横５センチ前後が適当と思われる。装着時の側面形状は、図５で示すようにクラウン１内側に向かって膨らみがありなだらかな円弧を描くものがよい。円弧状にすることで頭表部１０と分断帯状体６ａとの接触部分が最少となり着用時のべったり感を軽減できる。また、波パターンはできるだけ高低差の大きい方が空気の流通には都合がよい。
【００２０】  図５は図４のＡ−Ａ′点における断面図で、分断帯状体６ａが装着された部位を示す。分断帯状体６ａはすべりの最下部にて固着し、上部はフリーにしておく。すなわち、通常は円弧状態を保ち、頭部が押し入るとともに上部が上方にスライドして平たく変形するが、頭部が離れればすぐに復元する弾力性があることが帽子保持上望ましい。
【００２１】  図６は分断帯状体６ａの拡大斜視図である。合成樹脂製シートでアーチを形成しており弾力性を有する。アーチ上部に畑の畝状ふくらみ８が幾筋も規則的に並び、各ふくらみを中空にして中に弾性を有する合成樹脂製アーチ棒９を挿入してある。アーチ棒９の形状は丸棒またはかまぼこ型でもよい。なお、畝状ふくらみ８を中空とせずアーチ棒９を含めた合成樹脂の一体成型でもよい。
【００２２】（実施の形態２）
図７はこの発明の実施の形態２に係る帯状体を示す図である。波状凹凸パターンが連続して現われる分断帯状体６ａを、分断せずに連続してすべり７の部位に装着している。連続帯状体６ｂの材質、性質および形状は上述の分断帯状体６ａと同じである。連続帯状体６ｂはすべり部に沿って頭表部１０を１周するものであるが、頭表部１０を帯状体がしっかりとつかみ風などに飛ばされにくくなる。空気は波パターンの凸部の間を通り抜け、顔周辺からクラウン１内に入り込む。逆方向の場合もある。
【００２３】  実施の形態２に係るクラウン１については、上述した実施の形態１における内容と全く同じである。
【００２４】（実施の形態３）
図８は本発明の実施の形態３に係るつば交換を示す図である。麦わら帽子やおしゃれ感覚のハット、ゴルフ、野球などスポーツで着用するキャップなど、一人の人間が何種類かの帽子を着用する機会も十分あり得るし、このような場合、同一人物が同じ目的のために２〜３個の帽子を所有するのはコスト的にも保管スペース的にも無駄である。１個の帽子をあるときは仕事に、あるときは外出用に、またあるときにはスポーツにと、目的によりつばを取り替えて使うことができるならば合理的ではないだろうか。
【００２５】  つばを交換する方法はいろいろ考えられるが、クラウン１底部に押し込み式ボタン等の留め具１１でつばを数か所留める方法が簡単であり、かつ必要な強度も得られてよい。多少手数はかかるが木ねじを使用して留める方法でもよい。
【００２６】  つば３ａ、３ｂの材質は問わない。クラウンと同じ中空角柱体２が連接する合成樹脂製でもよいし、市販の帽子で使用されている麦わら製や布製でも構わない。クラウンと同じ合成樹脂で硬いつばを製作した場合は、日常生活で狭い場所を通る場合につかえるなどの不都合が起こり得るので、着用する場所や目的によって硬軟を使い分けるのが便利であろうと思われる。
【００２７】  実施の形態３に係るクラウン１については、上述した実施の形態１および実施の形態２における内容と全く同じである。
【符号の説明】
【００２８】  １・・・クラウン
２・・・中空角柱体
３ａ・・全周つば
３ｂ・・前付つば
４・・・トップクラウン
５・・・つかみ穴
６ａ・・分断帯状体
６ｂ・・連続帯状体
７・・・すべり
８・・・畝状ふくらみ
９・・・アーチ棒
１０・・・頭表部
１１・・・留め具
【図１】
2015105457.tif 000003
【図２】
2015105457.tif 000004
【図３】
2015105457.tif 000005
【図４】
2015105457.tif 000006
【図５】
2015105457.tif 000007
【図６】
2015105457.tif 000008
【図７】
2015105457.tif 000009
【図８】
2015105457.tif 000010